(57)【特許請求の範囲】
【請求項１】
交流電源の電圧を整流手段により整流した直流電圧もしくは電池からの電圧を切り換え可能に装置内の複数の負荷に加える電子機器類の電源供給回路において、
上記整流手段の＋出力端子と上記電池の正極とが上記負荷に至る電圧路に対して並列的に接続されていて、それらの−出力端子と負極のいずれか一方を選択的に接地に接続するスイッチ手段と、上記負荷に加わる電圧の電源元が上記整流手段か上記電池かの判断に供される電源種別情報を発生する回路と、上記電源種別情報により電源元が上記整流手段と判断した場合と上記電池と判断した場合について、上記負荷の全部又は一部を連続動作もしくは間欠動作あるいは非動作となす負荷駆動条件変更手段とを備え、
上記電源種別情報発生回路は、上記整流手段の＋出力端子から上記負荷に至る電圧路の間に順方向に設けられた第１ダイオードと、該第１ダイオードのアノード側に接続されていて、電源元が上記電池から上記整流手段に切り換えられたとき上記整流手段の＋出力端子側からベース電流が与えられるスイッチング用トランジスタとを含み、該トランジスタのエミッタは接地側に接続され、そのコレクタは抵抗を介して装置内の＋電圧路に接続されており、
上記負荷駆動条件変更手段は、上記トランジスタのコレクタ側を入力ポートに接続し、上記複数の負荷と接地間に設けられた各スイッチング用トランジスタのベース側をそれぞれ出力ポートに接続したＣＰＵからなり、上記入力ポートに加わるコレクタ電位の高低に応じて上記出力ポートから送出する各ベース電流を制御し、かつ、
上記電池の負極と接地との間には、アノード側が接地された第２ダイオードが上記スイッチ手段と並列的に接続されていることを特徴とする電子機器類の電源供給回路。
【発明の詳細な説明】
【０００１】
【産業上の利用分野】
この発明は、装置への電源供給元が交直両用になっている電子機器類の電源供給回路に関するものである。
【０００２】
【従来例】
交直両用の電子機器などにおいては、商用電源が利用できる場合はＡＣアダプタから交流を直流に変換した電源を受け、商用電源が利用できない場合は電池から電源供給を受けるようになっている。
【０００３】
図２にその例が示されているが、例えばＡＣアダプタジャック３の接点ａ側を閉成すると電池２の電圧はシステム電源レギュレータ４と負荷６に加えられ、システム電源レギュレータ４に加わった電圧は安定化されてＣＰＵ５に加えられる。ここで、負荷６は例えば２つの負荷６ａと６ｂとからなり、両負荷は互いに機能が異なる回路網で構成されているものとする。
【０００４】
ＣＰＵ５は電源が加わると動作を開始し、その出力ポートＡ，ＢからトランジスタＱ１とＱ２にそれぞれベース電流を流してＯＮにする。これにより負荷６ａと６ｂに電源が供給され、負荷の全回路が動作状態に入る。
【０００５】
また、例えばＡＣアダプタジャック３の接点ｂ側を閉成すると、ＡＣアダプタ１にて商用電源を直流化した電圧がシステム電源レギュレータ４と負荷６ａ，６ｂに加わり、更にシステム電源レギュレータ４から安定化された正の電圧ＶｃｃがＣＰＵ５に加わる。以下、電池電源の場合と同様にＣＰＵ５はトランジスタＱ１とＱ２へベース電流を流してＯＮにし、負荷６ａ，６ｂを動作状態にする。
【０００６】
【発明が解決しようとする課題】
上記従来装置は回路構成が簡単であるという利点がある。ところで、負荷によっては必ずしも定格機能で常時動作させなくても装置が実用上差し支えなく使用できる場合がある。その対象の一例として照明用ランプの明るさ、モニタ類の音量、ディスプレイの表示動作などが考えられる。しかし従来装置においては、電源が電池の場合でもそれらの負荷に対して一緒に電源を供給するので電池の消耗が早いという難点がある。
【０００７】
この発明は上記の事情を考慮してなされたもので、その目的は、装置の電源がＡＣアダプタの場合は全負荷に電源を供給し、電池電源の場合は定格機能の連続動作を必ずしも必要としない負荷に対する電源供給を停止して装置の省電力動作を図った電源供給回路を提供することにある。
【０００８】
【課題を解決するための手段】
上記の課題を解決するため、この発明においては下記の手段を備えるようにする。すなわち、
▲１▼  例えば装置への電源供給元がＡＣアダプタであるか、又は電池であるかの電源種別判断情報を発生する手段。
【０００９】
▲２▼  例えば上記電源種別の判断情報を読み取り、電源供給元がＡＣアダプタである場合には全負荷に電源を供給し、電池である場合は所定の負荷に対して電源を供給しないようにする負荷駆動条件変更手段。
【００１０】
【作用】
上記手段を備えることにより、例えば電池電源の場合は定格機能の連続動作を必要としない負荷に対して電源が供給されなくなり、電池の寿命が長くなる。
【００１１】
【実施例】
図１にこの発明の実施例を示す。同図１中、前記図２の従来装置に用いられた各ユニットと同一のユニットについては同じ参照符号が付されている。
【００１２】
この図１において、例えばダイオードＤ１とトランジスタＱ３は上記課題解決手段（１）に記載した電源種別の判断情報を発生し、ＣＰＵ５は課題解決手段（２）に記載した負荷駆動条件の変更動作を行うようになっている。
【００１３】
ここで、装置本体側に取り付けられているＡＣアダプタジャック３は、例えばＡＣアダプタ１の図示しないプラグが差し込まれると接点ｂ側に切り換えられ、ＡＣアダプタ１の直流電源が装置へ加えられる。また、上記プラグを抜くと図示のように接点ａ側に切り替わり、電池の電源が装置へ加わるようになっている。よって、操作者は特に意識しなくとも自動的に装置のフルパワー動作（定格連続動作）とセーブパワー動作（省電力動作）の切り換えができる。
【００１４】
すなわちＡＣアダプタ１を使用しない場合は、ＡＣアダプタジャック３は図示のように接点ａ側に切り替わり、電池２の一極が接地されてその電源回路が閉回路となる。これにより電池２の電圧はシステム電源レギュレータ４と負荷６ａ，６ｂに加わり、システム電源レギュレータ４からは正の電圧ＶｃｃがＣＰＵ５と、抵抗Ｒを介してトランジスタＱ３に加わる。
【００１５】
この場合、電池２の正の電圧はダイオードＤ１により阻止され、トランジスタＱ３のベース側には加わらないからベース電流は流れず、トランジスタＱ３はＯＦＦである。よって同トランジスタＱ３のコレクタとＣＰＵ５の入力ポートＣは、電圧Ｖｃｃと同電位すなわちＨｉｇｈとなる。
【００１６】
ここで、例えば負荷６ａは定格機能で常時動作させる回路であり、負荷６ｂは必ずしもその必要が無い回路であるとする。ＣＰＵ５はその入力ポートＣの電位がＨｉｇｈであることを読み込むと電池２から電源供給を受けていると判断し、例えば出力ポートＡを低インピーダンスにしてトランジスタＱ１へベース電流を流すとともに、出力ポートＢを高インピーダンスにしてトランジスタＱ２にはベース電流を流さないようにする。これによりトランジスタＱ１はＯＮでトランジスタＱ２はＯＦＦとなり、負荷６ａ側にのみ電源が供給されてその回路が定格機能の動作をする。この場合、装置は省電力動作となる。
【００１７】
次にＡＣアダプタ１を使用した場合は、ＡＣアダプタジャック３は接点ｂ側に切り替わり、電池２の一極はオープンになるとともにＡＣアダプタ１の一出力端子が接地され、同ＡＣアダプタの電源回路が閉回路となる。よってＡＣアダプタ１の正、負の出力電圧は例えばトランジスタＱ３のベース側と、ダイオードＤ１を介してシステム電源レギュレータ４及び負荷６ａ，６ｂに加わる。更に、システム電源レギュレータ４からは安定化された正の電圧ＶｃｃがＣＰＵ５と、抵抗Ｒを介してトランジスタＱ３のコレクタ側に加えられる。
【００１８】
これによりＣＰＵ５は動作を開始し、トランジスタＱ３はＯＮとなってコレクタ電流が流れる。このコレクタ電流により抵抗Ｒには電圧降下が発生し、ＣＰＵ５の入力ポートＣは電圧Ｖｃｃより低い電位すなわちＬｏｗとなる。
【００１９】
ＣＰＵ５は入力ポートＣの電圧がＬｏｗであることを読み込むとＡＣアダプタ１から電源供給を受けていると判断し、例えば出力ポートＡ，Ｂを共に低インピーダンスにしてトランジスタＱ１とＱ２へそれぞれベース電流を流すようになっている。これによりトランジスタＱ１，Ｑ２はＯＮとなる。負荷６ａ及び６ｂにはＡＣアダプタ１からそれぞれ電源が供給され、両負荷の回路は定格機能で動作する。
【００２０】
この発明においては、ＡＣアダプタ１を使用（ＡＣアダプタジャック３は接点ｂ側）しているとき、瞬時的な電圧低下や停電等に対して無停電化を図るため、例えば電池２の一極と接地間にダイオードＤ２が設けられている。ＡＣアダプタ１が正規の電圧を出力しているときは、ダイオードＤ１を通った電流はシステム電源レギュレータ４と負荷６側に流れ、電池２の方向に流れようとする電流はダイオードＤ２によって阻止される。
【００２１】
ＡＣアダプタ１の出力が停電等により瞬時的に低下した場合は、電池２−システム電源レギュレータ４−接地−ダイオードＤ２の電源回路が形成され、電池から電流が流れるため無停電化でき、負荷動作にＣＰＵ５がリセット動作を行う等の誤動作が防止される。
【００２２】
なお、上記電池電源の場合においては負荷６ｂに対して電源を供給しない例が説明されているが、例えばＣＰＵ５の出力ポートＢからトランジスタＱ２へ一定周期でベース電流を流し、負荷６ｂを間欠的に動作させるようにしてもよい。この場合も装置が省電力動作となることは明らかである。
【００２３】
【効果】
以上、説明したようにこの発明によると、ＡＣアダプタの出力を電源とする場合は全負荷が定格機能の動作をするが、電池の出力を電源とする場合は所定の負荷が間欠動作又は動作を停止するようになっている。そのため電池の消耗が少なくなり、寿命を長くするのに有効である。
【００２４】
また、ＡＣアダプタを電源として稼動中瞬時的な停電等があっても対応できるので、ＣＰＵの誤動作を防止することも可能である。
【図面の簡単な説明】
【図１】この発明が適用された電源供給回路の電気的構成を示すブロック線図。
【図２】従来装置の電気的構成を示すブロック線図。
【符号の説明】
１  ＡＣアダプタ
２  電池
３  ＡＣアダプタジャック
５  ＣＰＵ
６ａ  負荷
６ｂ  負荷
Ｄ１  ダイオード
Ｑ１  トランジスタ
Ｑ２  トランジスタ
Ｑ３  トランジスタ
【図１】
0003542836.tif 000002
【図２】
0003542836.tif 000003